(57)【要約】【課題】パルスノイズの印加により欠落した期間の長さにかかわらずに信号の再生を適切に行う装置および方法を提供すること。【解決手段】入力信号であるＯＦＤＭ信号に対して高速フーリエ変換処理を施すＦＦＴ回路と、前記ＦＦＴ回路出力について再マッピング処理を施す再マッピング回路と、前記再マッピング回路出力に対して高速逆フーリエ変換処理を施すＩＦＦＴ回路と、入力信号であるＯＦＤＭ信号に対して、前記ＦＦＴ回路と再マッピング回路とＩＦＦＴ回路とで行われる各処理に要する時間分遅延させて出力する遅延回路と、前記ＩＦＦＴ回路出力と遅延回路出力とを入力し、各出力のレベル差が予め定められた割合以上である期間については前記ＩＦＦＴ回路出力を出力し、その他の期間については前記遅延回路出力を出力する比較／置換回路とを有する。【選択図】図１
2007228534.tif 000002
【特許請求の範囲】
【請求項１】
入力信号であるＯＦＤＭ信号に対して高速フーリエ変換処理を施すＦＦＴ回路と、
前記ＦＦＴ回路出力について再マッピング処理を施す再マッピング回路と、
前記再マッピング回路出力に対して高速逆フーリエ変換処理を施すＩＦＦＴ回路と、
入力信号であるＯＦＤＭ信号に対して、前記ＦＦＴ回路と再マッピング回路とＩＦＦＴ回路とで行われる各処理に要する時間分遅延させて出力する遅延回路と、
前記ＩＦＦＴ回路出力と遅延回路出力とを入力し、各出力のレベル差が予め定められた割合以上である期間については前記ＩＦＦＴ回路出力を出力し、その他の期間については前記遅延回路出力を出力する比較／置換回路とを有することを特徴とするパルスノイズ除去装置。
【請求項２】
請求項１記載のパルスノイズ除去装置において、
比較／置換回路は、ＩＦＦＴ回路出力と遅延回路出力のレベル差が５％以上の期間について前記ＩＦＦＴ回路出力を出力することを特徴とするパルスノイズ除去装置。
【請求項３】
入力信号であるＯＦＤＭ信号に対して高速フーリエ変換処理を施す第１のステップと、
前記第１のステップによる処理結果に対して再マッピング処理を施す第２のステップと、
前記第２のステップによる処理結果に対して高速逆フーリエ変換処理を施す第３のステップと、
入力信号であるＯＦＤＭ信号に対して、前記第１ないし第３のステップで行われる各処理に要する時間分遅延させて出力する第４のステップと、
前記第３のステップによる処理結果と前記第４のステップによる処理結果のレベル差が予め定められた割合以上である期間については前記第３のステップによる処理結果を選択し、その他の期間については前記第４のステップによる処理結果を選択して出力とする第５のステップとを有することを特徴とするパルスノイズ除去方法。
【請求項４】
請求項３記載のパルスノイズ除去方法において、
第５のステップでは、前記第３のステップによる処理結果と前記第４のステップによる処理結果のレベル差が５％以上の期間について前記第３のステップによる処理結果を選択することを特徴とするパルスノイズ除去方法。
【発明の詳細な説明】
【技術分野】
【０００１】
本発明は、ＯＦＤＭ変調信号に印加されたパルスノイズを除去するパルスノイズ除去装置に関する。
【背景技術】
【０００２】
狭い周波数の範囲を効率的に利用した広帯域伝送を実現し、周波数の利用効率を向上するための伝送方式として直行周波数分割多重（ＯＦＤＭ：Orthogonal Frequency Division Multiplexing）方式が実現されている。
【０００３】
ＯＦＤＭ伝送における受信信号に、イグニッションノイズなどのパルスノイズが印加された場合、ノイズによる悪影響を除去するための技術が特許文献１（特開２００３−０３２１３２号公報）に開示されている。
【０００４】
特許文献１には、パルスノイズが印加された期間を検出して、その区間を削除し、削除された部分をその前後の受信信号から補間することが開示されている。
【０００５】
図５は、パルスノイズ除去の一般的な回路の構成を示す図である。パルスノイズ検出回路５２は入力信号中のパルスノイズを検出し、検出タイミングを補間回路５１へ出力し、補間回路５１はパルスノイズ検出回路５２がパルスノイズを検出した期間については補間処理を行って出力する。
【特許文献１】特開２００３−０３２１３２号公報
【発明の開示】
【発明が解決しようとする課題】
【０００６】
しかしながら、特許文献１に開示される雑音を除去する構成の場合、パルスノイズの印加により欠落した期間が予め想定した期間よりも長い場合、適切な補間を行うことができず、処理が破綻する問題がある。
【０００７】
本発明は、上述したような従来の技術が有する問題点に鑑みてなされたものであって、ＯＦＤＭ信号の特長を生かして、パルスノイズの印加により欠落した期間の長さにかかわらずに信号の再生を適切に行う装置および方法を提供することを目的とする。
【課題を解決するための手段】
【０００８】
本発明のパルスノイズ除去装置は、入力信号であるＯＦＤＭ信号に対して高速フーリエ変換処理を施すＦＦＴ回路と、
前記ＦＦＴ回路出力について再マッピング処理を施す再マッピング回路と、
前記再マッピング回路出力に対して高速逆フーリエ変換処理を施すＩＦＦＴ回路と、
入力信号であるＯＦＤＭ信号に対して、前記ＦＦＴ回路と再マッピング回路とＩＦＦＴ回路とで行われる各処理に要する時間分遅延させて出力する遅延回路と、
前記ＩＦＦＴ回路出力と遅延回路出力とを入力し、各出力のレベル差が予め定められた割合以上である期間については前記ＩＦＦＴ回路出力を出力し、その他の期間については前記遅延回路出力を出力する比較／置換回路とを有することを特徴とする。
【０００９】
この場合、比較／置換回路は、ＩＦＦＴ回路出力と遅延回路出力のレベル差が５％以上の期間について前記ＩＦＦＴ回路出力を出力することとしてもよい。
【００１０】
本発明のパルスノイズ除去方法は、入力信号であるＯＦＤＭ信号に対して高速フーリエ変換処理を施す第１のステップと、
前記第１のステップによる処理結果に対して再マッピング処理を施す第２のステップと、
前記第２のステップによる処理結果に対して高速逆フーリエ変換処理を施す第３のステップと、
入力信号であるＯＦＤＭ信号に対して、前記第１ないし第３のステップで行われる各処理に要する時間分遅延させて出力する第４のステップと、
前記第３のステップによる処理結果と前記第４のステップによる処理結果のレベル差が予め定められた割合以上である期間については前記第３のステップによる処理結果を選択し、その他の期間については前記第４のステップによる処理結果を選択して出力とする第５のステップとを有することを特徴とする。
【００１１】
この場合、第５のステップでは、前記第３のステップによる処理結果と前記第４のステップによる処理結果のレベル差が５％以上の期間について前記第３のステップによる処理結果を選択することとしてもよい。
【発明の効果】
【００１２】
上記のように構成される本発明においては、パルスノイズが印加されたと推定される期間については入力信号であるＯＦＤＭ信号に置換され、その他の機関については再生信号が用いられる。このため、信号再生をパルスノイズの期間の長さにかかわらずに適切に行うことができる効果がある。
【発明を実施するための最良の形態】
【００１３】
次に、本発明の実施例について図面を参照して説明する。図１は本発明の一実施例の構成を示すブロック図である。
【００１４】
本実施例は、ＦＦＴ回路１１と、再マッピング回路１２と、ＩＦＦＴ回路１３と、遅延回路１４と、比較／置換回路１５より構成される。
【００１５】
ＦＦＴ回路１１と再マッピング回路１２とＩＦＦＴ回路１３は判定を行うために設けられ、遅延回路１４は判定を行うのに必要な時間分を遅延させるために設けられている。
【００１６】
なお、ＦＦＴ回路１１と再マッピング回路１２とＩＦＦＴ回路１３により判定を行う処理は遅延が生じる。
【００１７】
比較／置換回路１５はＦＦＴ回路１１と再マッピング回路１２とＩＦＦＴ回路１３を通った信号と遅延回路１４を通った信号とを比較するが、これらの信号を合わせるために遅延回路１４は、ＦＦＴ回路１１と再マッピング回路１２とＩＦＦＴ回路１３により判定を行う処理に要する時間遅延させる。
【００１８】
比較／置換回路１５は、判定を行ったＯＦＤＭ信号と判定を行わないＯＦＤＭ信号を比較し、パルスノイズが印加された期間を推定するとともに、パルスノイズが印加されたと推定した期間のみ、判定を行ったＯＦＤＭ信号に置換する。
【００１９】
次に、本実施例の動作について説明する。
【００２０】
図２（ａ）に示すような、パルスノイズが印加された信号が入力信号ａとして入力された場合、ＦＦＴ回路１１によって、高速フーリエ変換された信号ｂは、図３（ａ）に示すように、周波数軸上ではＯＦＤＭ信号全帯域にわたりノイズ成分が多重された信号となる。このため、各キャリアのコンスタレーションは図４（ａ）に示すように広がる。
【００２１】
これを再マッピング回路１２により正しいと判定される位置に置き直す（再マッピング）ことにより、図４（ｂ）に示すような信号ｃとなる。ＩＦＦＴ回路１３により、信号ｃに対して高速逆フーリエ変換を行うと、図２（ｂ）に示すようにパルスノイズが印加された区間が再生された信号ｄとなる。但し、この信号ｄは、再マッピングを行った際に、パルスノイズによって生じたノイズに相当して、誤判定により誤りを生じており、このまま復調を行っても誤り率は改善されない。
【００２２】
しかしながら、図２（ａ）の信号は、パルスノイズが印加されていない期間は、ノイズの無い信号であることから、比較／置換回路１５で、パルスノイズが印加されている期間のみ、遅延回路１４から入力される信号と再マッピングを行った信号ｄとを置換し、図２（ｂ）に示される信号ｅを得る。
【００２３】
パルスノイズが印加されている期間を推定する方法として、例えば、再マッピングを行った信号と再マッピングを行っていない信号で、レベル差が５％（閾値）以上ある場合をパルスノイズが印加されている期間と判断することが挙げられるが、このレベル差は伝搬環境によっても異なるものである。ＯＦＤＭ伝送が行われる一般的な伝搬環境では、レベル差が５％ある場合にはパルスノイズが印加されていると推定するに十分ではあるが、特に５％に限定されるものではなく、パルスノイズが印加されていると推定する判断基準となるレベル差伝搬環境に応じて変更してもよい。
【００２４】
上記のように構成される本実施例において、例えば、１シンボル期間の内、１／２０の信号がパルスノイズによって欠落している場合を考えると、これをそのまま復調すると−１０*ＬＯＧ（１／２０）＝１３ｄＢのＣ／Ｎとなり、このＣ／Ｎに相当する誤りを生じる。
【００２５】
しかしながら、本実施例のパルスノイズ除去装置を用いると、補間した区間は−１０*ＬＯＧ（１／２０）＝１３ｄＢのＣ／Ｎとなるが、１シンボル期間全体でみると、１／２０の区間のみＣ／Ｎが１３ｄＢ（＝１／２０）となるから、（１／２０）＊（１／２０）＝１／４００となり、１シンボル期間のＣ／Ｎは−１０*ＬＯＧ（１／４００）＝２６ｄＢに改善する。
【図面の簡単な説明】
【００２６】
【図１】本発明の一実施例の構成を示すブロック図である。
【図２】（ａ）は入力信号、（ｂ）は本発明の実施例による再生信号を示す図である。
【図３】（ａ）、（ｂ）のそれぞれは、図２（ａ）、（ｂ）に示した信号を周波数軸上で示す信号である。
【図４】（ａ）、（ｂ）のそれぞれは、図３（ａ）、（ｂ）に示した信号のキャリアのコンスタレーションを示す図である。
【図５】従来例の構成を示す回路図である。
【符号の説明】
【００２７】
１１    ＦＦＴ回路
１２    再マッピング回路
１３    ＩＦＦＴ回路
１４    遅延回路
１５    比較／遅延回路
【図１】
2007228534.tif 000003
【図２】
2007228534.tif 000004
【図３】
2007228534.tif 000005
【図４】
2007228534.tif 000006
【図５】
2007228534.tif 000007